【事件の表示】
　国際登録第８１２７３９号に係る国際商標登録出願の拒絶査定に対する審判事件について、次のとおり審決する。
【結論】
　本件審判の請求は、成り立たない。
【理由】
第１　本願商標
　本願商標は、「ＵＶ　ＰＬＵＳ」の欧文字を書してなり、第３類に属する日本国を指定する国際登録において指定された商品を指定商品として、２００３年（平成１５年）９月２５日に国際商標登録出願されたものである。
　その後、指定商品については、当審における２００７年（平成１９年）１０月９日付けで国際登録簿に記録された限定の通報があった結果、「Ｃｏｓｍｅｔｉｃ　ｐｒｏｄｕｃｔｓ　ｆｏｒ　ｗｏｍｅｎ　ａｎｄ　ｍｅｎ　ｎａｍｅｌｙ　ｂｅａｕｔｙ　ｃｒｅａｍｓ，ｂｅａｕｔｙ　ｓｅｒｕｍｓ，ｂｅａｕｔｙ　ｍｉｌｋｓ，ｂｅａｕｔｙ　ｌｏｔｉｏｎｓ，ｔｏｎｉｃ　ｌｏｔｉｏｎｓ，ｂｅａｕｔｙ　ｍａｓｋｓ，ｂｅａｕｔｙ　ｇｅｌｓ，ｂｅａｕｔｙ　ｏｉｌｓ　ｂｕｔ　ｎｏｎｅ　ｏｆ　ｔｈｅ　ａｆｏｒｅｍｅｎｔｉｏｎｅｄ　ｇｏｏｄｓ　ｔｏ　ｉｎｃｌｕｄｅ　ｓｕｎ　ｔａｎ　ｌｏｔｉｏｎｓ．」とされた。
第２　原査定の拒絶の理由（要旨）
　原査定は、「本願商標は、『ＵＶ　ＰＬＵＳ』の文字よりなるところ、その構成中の『ＵＶ』は『ｕｌｔｒａｖｉｏｌｅｔ（紫外線）』を、『ＰＬＵＳ』は『追加する、利点、良い機能』を意味し、また、指定商品を扱う分野においてＵＶケアのための多くの商品が開発・取引されていることからすれば、本願商標をその指定商品に使用しても、これに接する取引者・需要者は、該商品が『ＵＶ防止成分を含んだ化粧品、ＵＶケアに優れた化粧品』であるという、商品の品質を表示したものとしか認識し得ない。また、前記以外の商品に使用するときは、商品の品質について誤認を生じさせるおそれがある。したがって、本願商標は、商標法第３条第１項第３号及び同法第４条第１項第１６号に該当する。」旨認定、判断し、本願を拒絶したものである。
第３　当審において通知した証拠調べの要旨
　本願商標が、商標法第３条第１項第３号及び同法第４条第１項第１６号に該当するか否かについて、当審において証拠調べをした結果、以下の事実が認められる。
　１「ＵＶプラス」の文字は、「日やけ止め、ＵＶカット」等のＵＶケア効果が付加された化粧品（乳液、クリーム、ファンデーション、美容液）を表すものとして以下のとおり使用されている。
　（１）ＲＥＶＥＲＳＡＬ　＋ｐｌｕｓ　リバーサルプラス
　ＲＰ１０８　ＵＶプラス　アミノ（日焼け止め乳液）
　ｈｔｔｐ：／／ｗｗｗ．ｓｔｙｌｅｗｅｂ．ｔｖ／ｃｏｓｍｅ／ｒｅｖｅｒｓａｌ／ｕｖ．ｈｔｍｌ
　（２）ＥＢＡオリジナル化粧品
　ジェード３３シリーズ／ＵＶプラス（日焼け止めクリーム）
　ｈｔｔｐ：／／ｗｗｗ．ｇａｒｉｔｔｏ．ｃｏｍ／ｐｒｏｄｕｃｔ／ｉｎｄｅｘ／７０２６１２１
　（３）カラコン　ＵＶプラス　トータル　フィット　パウダーファンデーション（リフィル）
・・・２ウェイタイプのパウダーファンデーションです。・・・
　ｈｔｔｐ：／／ｗｗｗ．ｋａｒａ−ｃｏｎ．ｊｐ／ｐｒｏｄｕｃｔｓ／ｄｅｔａｉｌｓ３０９２．ｈｔｍｌ
　（４）ＲＪ　ＵＶプラス＜日中用ＵＶケア化粧品＞
・・・紫外線ブロックだけでなく、・・・日中用ＵＶケア美容液です。
　ｈｔｔｐ：／／ｃｏｓｍｅ．３８３８．ｃｏｍ／ｄｅｔａｉｌ／ｉｎｄｅｘ．ａｓｐｘ？ｇｏｏｄｓ＝７７００
　２　化粧品に関し、以下のとおり「ＵＶ」の文字のみで、「日やけ止め、ＵＶカット」等の「ＵＶケア」を表すものとして多数使用され、また、「ＵＶケア」効果のある化粧品を「ＵＶ化粧品」と称している。
　（１）化粧惑星　商品ラインアップ　Ｓｋｉｎｃａｒｅ　ＳＨＩＳＥＩＤＯ
　スーパーモーニングミルクＵＶ
　ｈｔｔｐ：／／ｗｗｗ．ｋｅｓｈｏ−ｗａｋｕｓｅｉ．ｃｏｍ／ｌｉｎｅｕｐ／ｓｋｉｎｃａｒｅ／ｈ＿０３．ｈｔｍ
　（２）通販　−ディノス−
　ララビュウ　パーフェクトカバーＵＶベース
　ｈｔｔｐ：／／ｗｗｗ．ｄｉｎｏｓ．ｃｏ．ｊｐ／ｐ／１３３４４００００８／
　（３）【ケンコーコム】　健康メガショップ
　ａ．ＵＶ乳液　選りすぐり商品【ケンコーコム】
　　　　　　　　　　　　　　　　　　　　　　　　　（以下を含む計５８件）
　ｈｔｔｐ：／／ｗｗｗ．ｋｅｎｋｏ．ｃｏｍ／ｐｒｏｄｕｃｔ／ｓｅｉｂｕｎ／ｓｅｉ＿８９３００５．ｈｔｍｌ
（商品名として「ＵＶ」を使用しているもの）
　（ａ）キュレル　薬用ＵＶローション　６０ｍｌ
　商品番号：Ｘ３０３７４０Ｈ／販売元：花王／ブランド：キュレル
　（ｂ）ドクターシーラボ　ＵＶ＆ＷＨＩＴＥ　モイスチャーミルク　３０ｍｌ
　商品番号：Ｅ０１８９０４Ｈ／販売元：ドクターシーラボ
　ブランド：ドクターシーラボ（Ｄｒ．Ｃｉ：Ｌａｂｏ）
　（ｃ）サナ　なめらか本舗　豆乳イソフラボン含有の薬用ＵＶ乳液　３０ｍｌ
　商品番号：Ｘ６４００７０Ｈ／製造販売元：常盤薬品工業
　ブランド：なめらか本舗
（説明文章中に「ＵＶ」を使用しているもの）
　（ａ）ソラノベールプロテクトフェイスミルク　ＳＰＦ５０＋　４０ｍｌ
　商品番号：Ｅ０４０７２７Ｈ／製造販売元：近江兄弟社
　ブランド：ソラノベール
　エイジングの原因、紫外線からお肌を守るＵＶ乳液です。・・・
　（ｂ）アルージェ　ＵＶプロテクトビューティーアップ　２５ｇ
　商品番号：Ｘ６８４３００Ｈ／製造販売元：ウテナ
　ブランド：ピュルテホワイト
　肌になめらかにのびて白浮きしない、・・・のＵＶ乳液です。・・・
　（ｃ）イオナ　マイルドＵＶカットミルク　３５ｍｌ
　商品番号：Ｘ２９６１８０Ｈ／製造販売元：イオナインターナショナル
　ブランド：イオナ
　お肌へのやさしさにこだわったＵＶ乳液です。・・・
　ｂ．ＵＶクリーム　選りすぐり商品【ケンコーコム】
　　　　　　　　　　　　　　　　　　　　　　　　　（以下を含む計１２件）
　ｈｔｔｐ：／／ｗｗｗ．ｋｅｎｋｏ．ｃｏｍ／ｐｒｏｄｕｃｔ／ｓｅｉｂｕｎ／ｓｅｉ＿８９３０１６．ｈｔｍｌ
　（ａ）ライスビューティー　ホワイトニングＵＶクリーム
（薬用美白ＵＶクリーム）ＳＰＦ２９
　商品番号：Ｅ０６２８１１Ｈ／発売元：白鶴酒造
　ブランド：ライスビューティー
　（ｂ）ブラン　ホワイトベールＵＶ３０ｇ
　商品番号：Ｅ００９２３２Ｈ／発売元：シンエイ
　アルブチン配合のＵＶ効果下地です。・・・
　ｃ．ＵＶジェル　選りすぐり商品【ケンコーコム】
　　　　　　　　　　　　　　　　　　　　　　　　　（以下を含む計１１件）
　ｈｔｔｐ：／／ｗｗｗ．ｋｅｎｋｏ．ｃｏｍ／ｐｒｏｄｕｃｔ／ｓｅｉｂｕｎ／ｓｅｉ＿８９３０１８．ｈｔｍｌ
　（ａ）キスミー　サンキラー　デイリーコンフォートＵＶジェル　ＳＰＦ２７　９０ｇ
　商品番号：Ｘ６９３９８０Ｈ／製造販売元：伊勢半
　ブランド：キスミー　サンキラー
　（ｂ）コエンリッチＱ１０　ホワイトボディミルキィジェルＵＶ　ＳＰＦ２５　１３０ｍｌ
　商品番号：Ｅ０７４７８２Ｈ／発売元：コーセーコスメポート
　ブランド：コエンリッチ
・・・ベタつきのない軽い感触のＵＶジェルです。・・・
　ｄ．ＵＶ美容液　選りすぐり商品【ケンコーコム】
　　　　　　　　　　　　　　　　　　　　　　　　　　　（以下を含む７件）
　ｈｔｔｐ：／／ｗｗｗ．ｋｅｎｋｏ．ｃｏｍ／ｐｒｏｄｕｃｔ／ｓｅｉｂｕｎ／ｓｅｉ＿８９３０４７．ｈｔｍｌ
　（ａ）ロジカルプラス　ＵＶモイスチャライジングエッセンス　３０ｇ
　商品番号：Ｘ６３２０８０Ｈ／製造販売元：フローレンス
　日焼けによるシミ・ソバカスを防ぐＵＶ美容液です。・・・
　（ｂ）Ｒ３（アールスリー）ルミナスヴェールＵＶ
　商品番号：Ｘ１６８０６０Ｈ／発売元：（株）コムストック・グループ
　ブランド：Ｒ３（アールスリー）
・・・「Ｒ３」シリーズのコラーゲン美容液です。・・・
　ｅ．ニキビ（にきび）　薬用乳液　選りすぐり商品【ケンコーコム】
　　　　　　　　　　　　　　　　　　　　　　　　　　　（以下を含む３件）
　（ａ）オードメディカ　薬用ＵＶミルク　３０ｍｌ
　商品番号：Ｅ０７９１４１Ｈ／製造販売元：桃谷順天館
　ブランド：オードメディカ
・・・大人のニキビのための薬用乳液です。・・・
　（ｂ）メンソレータム　アクネス薬用ＵＶティントミルク
　商品番号：Ｍ４１１８７０Ｈ／発売元：ロート製薬／ブランド：アクネス
　ニキビを防ぎながら紫外線も防ぐティント乳液です。・・・
　ｆ．ベビーＵＶクリーム　選りすぐり商品【ケンコーコム】
　　　　　　　　　　　　　　　　　　　　　　　　　　（以下を含む１９件）
　ｈｔｔｐ：／／ｗｗｗ．ｋｅｎｋｏ．ｃｏｍ／ｐｒｏｄｕｃｔ／ｓｅｉｂｕｎ／ｓｅｉ＿６６４０５８．ｈｔｍｌ
（商品名として「ＵＶ」を使用しているもの）
　（ａ）パックスベビー　ＵＶクリーム　３０ｇ
　商品番号：Ｅ００９７２３Ｈ／製造販売元：太陽油脂
　ブランド：パックスベビー
　（ｂ）ピジョン　ＵＶベビースティック　９ｇ　ＳＰＦ２２　ＰＡ＋＋＋
　商品番号：Ｘ２４３８６０Ｈ／製造販売元：ピジョン
　ブランド：ピジョン　スキンケア
（説明文章中に「ＵＶ」を使用しているもの）
　（ａ）サンカットベビー＆ファミリー　ＳＰＦ３０　３０ｍｌ
　商品番号：Ｘ７５４１５０Ｈ／製造販売元：和光堂／ブランド：サンカット
・・・紫外線と刺激を防いで・・・ベビーＵＶクリームです。・・・
　（ｂ）キスミー　サンキラー　ベビーミルク　３０ｍｌ
　商品番号：Ｘ２５６６４０Ｈ／製造販売元：伊勢半
　ブランド：キスミー　サンキラー
　ベビーのデリケートなお肌のためのベビーＵＶクリームです。・・・
　（４）ＵＶ化粧水について　ｈｔｔｐ：／／ｗｗｗ．００５ｖｆｏｎｅｊｐ．ｃｏｍ／ｕｖ−ｋｅｓｈｏｕｓｕｉ／
　ＵＶ化粧水について解説します。ＵＶ化粧水は紫外線をカットする化粧品ですが、ジェル、シルク、ナノ、ボディ用、ミスト（スプレー）などいろいろな種類があります。通販でさまざまなＵＶ化粧水の商品が販売されています。
　（５）ＵＶ化粧品の上手な使い方（１）：全薬工業株式会社
　夏のスキンケア　４　ＵＶ化粧品の上手な使い方（１）・・・・・
　ｈｔｔｐ：／／ｗｗｗ．ｚｅｎｙａｋｕ．ｃｏ．ｊｐ／ｋ−１ｂａｎ／ｃｌｉｐ／ｎｓｋｉｎ／ｐａｇｅ０４．ｈｔｍｌ
　（６）「よく使うＵＶ化粧品」ベスト５（リサッチ）
　ｈｔｔｐ：／／ｔｏｋａｉ−ｔｖ．ｃｏｍ／ｒｅｓｓａｃｈｉ／２００７／０７／ｕｖ＿１．ｈｔｍｌ
　ランキング「よく使うＵＶ化粧品」ベスト５（リサッチ調べ）２００７．７．２０
　２０代女性１００人に聞いた「よく使うＵＶ化粧品」ベスト５
　１位／資生堂　ＡＮＥＳＳＡ　　　　　２位／ビオレ　さらさらＵＶ
　３位／ニベア　サン　プロテクト　　　４位／カネボウ　ＡＬＬＩＥ
　５位／ソフィーナ　パーフェクトＵＶ
　（７）アットコスメ（＠ｃｏｓｍｅ）・フォデューＵＶ化粧品の商品情報
　メーカー名：ビバリー／ブランド名：フォデュー
　商品名：フォデューＵＶ化粧品
　ｈｔｔｐ：／／ｗｗｗ．ｃｏｓｍｅ．ｎｅｔ／ｐｒｏｄｕｃｔ／ｐｒｏｄｕｃｔ／ｐｒｏｄｕｃｔ＿ｉｄ／２７０８８４
　（８）ＵＶ化粧品　オーブス　エスケアウォーター　紫外線対策
・・・ＵＶ化粧水　エスケアウォーターの特徴は、一般的なＵＶケアコスメのように皮膚の表面に皮化粧で皮膜をつくって日射しをカットして保護するアプローチとは、まったく違っている点です。・・・
　ｈｔｔｐ：／／ｎ−ｓｔｙｌｅｓｈｏｐ．ｊｐ／ｎｓｔｙｌｅ／７．１／ＯＢ００８／
　３「プラス（ｐｌｕｓ）」の語は「加えること。足すこと。」を意味（広辞苑）する外来語として親しまれている語であり、商品「化粧品」についても、該語（文字）は、ある効果が「加わっていること，足されていること」を表すものとして以下のとおり使用されている。
　（１）ベビーＵＶクリーム　選りすぐり商品【ケンコーコム】
　ママはぐ　日焼け止めプラス　２８ｇ
　商品番号：Ｅ０６２７６９Ｈ／発売元：ロート製薬／ブランド：ロート製薬
　石けんで落とせる子ども向け日焼け止めです。・・・
　ｈｔｔｐ：／／ｗｗｗ．ｋｅｎｋｏ．ｃｏｍ／ｐｒｏｄｕｃｔ／ｂｒ／ｂｒ＿８２５０１０２１２０６１０Ｂ４０５８．ｈｔｍｌ
　（２）【楽天市場】ニベアヴィタル　Ｑ１０プラス　トライアルセット
　さらにしっとり（化粧水３０ｍｌ、乳液３０ｍｌ）
　ｈｔｔｐ：／／ｉｔｅｍ．ｒａｋｕｔｅｎ．ｃｏ．ｊｐ／ｇｅｎｋｙ／４９０１３０１２２２５４１ｖ１１／
　（３）ソフトマスクＱ１０プラス　３０ｇ【マリーブ化粧品】
　コエンザイムＱ１０を豊富に含む、ドイツの特別なピーナッツ油を配合したクリームです。
　ｈｔｔｐ：／／ｂｅａｕｔｙｃｏｍ．ｊｐ／？ｐｉｄ＝１１２１８１５１
　（４）ビタミンＡ．ビタミンＣ配合の保湿ジェル　ＡＣプラスジェル
　−ドクターズコスメ・化粧品“ＲＥＶＥＲＳＡＬ　＋ｐｌｕｓ”
　ＡＣプラス　ジェル＜保湿ジェル＞　５０ｇ
　抗酸化ビタミンであるビタミンＡとＣを配合した保湿ジェル
　ｈｔｔｐ：／／ｗｗｗ．ｒｅｖｅｒｓａｌ−ｐｌｕｓ．ｊｐ／ａｃｇｅｌ００１．ｈｔｍｌ
　（５）レディアン　モイストプラス　化粧品　１５０ｍｌ【爽快ドラッグ】
●「モイストプラス化粧水クレンジングクリーム」は・・・高保湿成分で肌表面だけでなく、・・・、ハリとツヤのある美しい肌へ導く保湿化粧水です。
　ｈｔｔｐ：／／ｗｗｗ．ｓｏｕｋａｉ．ｃｏｍ／Ｐ８０７００３４／ｐ．ｈｔｍｌ
第４　証拠調べ通知に対する請求人の意見
　請求人は、上記第３の証拠調べ通知に対し、指定した期間内に意見を述べていない。
第５　当審の判断
　本願商標は、「ＵＶ　ＰＬＵＳ」の欧文字を書してなるものである。
　そして、前記第３の証拠調べて通知したとおり、本願の指定商品である「化粧品」の分野においては、「ＵＶ」の文字は、「日やけ止め、ＵＶカット」等の「ＵＶケア」を表すものとして多数使用され、また、「ＵＶケア」効果のある化粧品を「ＵＶ化粧品」と称し、さらに、「加えること。足すこと。」を意味（広辞苑）する外来語として親しまれている「プラス（ｐｌｕｓ）」の語は、「化粧品」の分野においても、ある効果が「加わっていること。足されていること。」を表すものとして使用されているものである。
　さらに、「ＵＶプラス」の文字（語）が「日やけ止め、ＵＶカット」等のＵＶ効果が付加された化粧品（乳液、クリーム、ファンデーション、美容液）を表すものとして使用されている事実も見受けられる。
　そうとすれば、本願商標をその指定商品「Ｃｏｓｍｅｔｉｃ　ｐｒｏｄｕｃｔｓ」に使用するときは、これに接する取引者・需要者は、単に「ＵＶ効果が付加された化粧品」であること、すなわち商品の品質を表示したものと理解するにとどまり、自他商品の識別標識とは認識し得ないものというべきであり、また、上記に照応する商品以外の商品に使用するときには、商品の品質について誤認を生じさせるおそれがあるものといわなければならない。
　してみれば、本願商標は商標法第３条第１項第３号および同法第４条第１項第１６号に該当するものといわざるを得ないから、これを理由に本願を拒絶した原査定は、妥当であって取り消すことはできない。
　よって、結論のとおり審決する。